【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
重合可能なシリコーンヒドロゲルコンタクトレンズ先駆組成物であって、以下の成分、
(i)約25〜約35質量%の反応性フルオロ含有ジメタクリロイルシリコーンマクロマー、
(ii)少なくとも約45質量%の非ケイ素含有モノマー組成物、及び
(iii)ポリアルキレンオキシドシリコーン抽出可能成分、
を含み、
前記非ケイ素含有モノマー組成物が少なくとも一つの重合可能な二重結合と少なくとも一つの親水性の官能基を有する１以上のモノマーを含む、重合可能なシリコーンヒドロゲルコンタクトレンズ先駆組成物。
【請求項２】
前記ポリマーレンズ先駆組成物が、さらに紫外線吸収剤と着色剤を含む、請求項１に記載の重合可能なシリコーンヒドロゲルコンタクトレンズ先駆組成物。
【請求項３】
約10〜約30質量%の前記ポリアルキレンオキシドシリコーン抽出可能成分を含む、請求項１に記載の重合可能なシリコーンヒドロゲルコンタクトレンズ先駆組成物。
【請求項４】
前記反応性フルオロ含有ジメタクリロイルシリコーンマクロマーがα-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)(M3U)である、請求項１に記載の重合可能なシリコーンヒドロゲルコンタクトレンズ先駆組成物。
【請求項５】
前記非ケイ素含有モノマー組成物がN-ビニル-N-メチルアセトアミド、メチルメタクリレート、及びトリエチレングリコールジメタクリレートを含む、請求項１に記載の重合可能なシリコーンヒドロゲルコンタクトレンズ先駆組成物。
【請求項６】
前記ポリアルキレンオキシドシリコーン抽出可能成分がさらに連鎖移動剤を含む、請求項１に記載の重合可能なシリコーンヒドロゲルコンタクトレンズ先駆組成物。
【請求項７】
前記連鎖移動剤がアリルオキシエタノールである、請求項６に記載の重合可能なシリコーンヒドロゲルコンタクトレンズ先駆組成物。
【請求項８】
前記ポリアルキレンオキシドシリコーン抽出可能成分が約0.1〜6部のアリルオキシエタノールと、約99.9〜94部のポリアルキレンオキシドシリコーンを含む、請求項７に記載の重合可能なシリコーンヒドロゲルコンタクトレンズ先駆組成物。
【請求項９】
前記ポリアルキレンオキシドシリコーン抽出可能成分がジメチルシロキサン-エチレンオキシドブロックコポリマーを含む、請求項１に記載の重合可能なシリコーンヒドロゲルコンタクトレンズ先駆組成物。
【請求項１０】
前記ポリアルキレンオキシドシリコーン抽出可能成分が、ジメチルシロキサン（７５％エチレンオキシド）ブロックコポリマーを含有する、請求項９に記載の重合可能なシリコーンヒドロゲルコンタクトレンズ先駆組成物。
【請求項１１】
α-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)、N-ビニル-N-メチルアセトアミド、メチルメタクリレート、トリエチレングリコールジメタクリレート及びジメチルシロキサン-エチレンオキシドブロックコポリマー抽出可能成分を含む、重合可能なシリコーンヒドロゲルコンタクトレンズ先駆組成物。
【請求項１２】
α-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)の、N-ビニル-N-メチルアセトアミド、メチルメタクリレート、及びトリエチレングリコールジメタクリレートの組合せに対する質量-質量ベースの比率が約0.55〜約0.65の範囲である、請求項１１に記載の重合可能なシリコーンヒドロゲルコンタクトレンズ先駆組成物。
【請求項１３】
α-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)、N-ビニル-N-メチルアセトアミド、メチルメタクリレート、トリエチレングリコールジメタクリレート、2-ヒドロキシ-4-アクリルオキシエトキシベンゾフェノン、フタロシアニンブルー、熱開始剤、及びジメチルシロキサン（７５％エチレンオキシド）ブロックコポリマーを含む、請求項１２に記載の重合可能なシリコーンヒドロゲルコンタクトレンズ先駆組成物。
【請求項１４】
前記ジメチルシロキサン（７５％エチレンオキシド）ブロックコポリマーがアリルオキシエタノールと併用される、請求項１３に記載の重合可能なシリコーンヒドロゲルコンタクトレンズ先駆組成物。
【請求項１５】
重合可能なシリコーンヒドロゲルコンタクトレンズ先駆組成物の製造方法であって、以下の工程、
(i)少なくとも約25質量%の反応性フルオロ含有アクリロイルシリコーンマクロマーと、(ii)少なくとも約45質量%の非ケイ素含有親水性成分と、(iii)ポリアルキレンオキシドシリコーン抽出可能成分とを配合することによって重合可能なシリコーンヒドロゲルコンタクトレンズ先駆組成物を生成する工程であって、前記非ケイ素含有親水性成分は、少なくとも一つの重合可能な二重結合と少なくとも一つの親水性の官能基を有する１以上のモノマーを含む工程、
を含む前記方法。
【請求項１６】
重合可能なシリコーンヒドロゲルコンタクトレンズ先駆組成物の製造方法であって、以下の工程、
α-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)、N-ビニル-N-メチルアセトアミド、メチルメタクリレート、トリエチレングリコールジメタクリレート及びジメチルシロキサン-エチレンオキシドブロックコポリマー抽出可能成分を配合することによって、
重合可能なシリコーンヒドロゲルコンタクトレンズ先駆組成物を生成する工程、
を含む前記方法。
【請求項１７】
重合可能なシリコーンヒドロゲルコンタクトレンズ先駆組成物の製造方法であって、以下の工程、
α-ω-ビス(メタクリロイルオキシエチルイミノカルボキシエチルオキシプロピル)-ポリ(ジメチルシロキサン)-ポリ(トリフルオロプロピルメチルシロキサン)-ポリ(ω-メトキシ-ポリ(エチレングリコール)プロピルメチルシロキサン)、N-ビニル-N-メチルアセトアミド、メチルメタクリレート、トリエチレングリコールジメタクリレート、2-ヒドロキシ-4-アクリルオキシエトキシベンゾフェノン、フタロシアニンブルー、熱開始剤、及びジメチルシロキサン（７５％エチレンオキシド）ブロックコポリマーを配合することによって、
重合可能なシリコーンヒドロゲルコンタクトレンズ先駆組成物を生成する工程、
を含む前記方法。
【請求項１８】
前記ジメチルシロキサン（７５％エチレンオキシド）ブロックコポリマーが、アリルオキシエタノールを含む、請求項１７に記載の方法。
【請求項１９】
シリコーンヒドロゲルコンタクトレンズ調製で使うジメチルシロキサン-エチレンオキシドブロックコポリマーの効力を改善する方法であって、以下の工程、
約0.1質量%〜約10質量%のアリルオキシエタノールをジメチルシロキサン-エチレンオキシドブロックコポリマーに添加して、シリコーンヒドロゲルコンタクトレンズ生成物の調製で使うアリルオキシエタノール-ジメチルシロキサンエチレンオキシドブロックコポリマーを供給する工程、
を含む前記方法。
【請求項２０】
重合可能なレンズ先駆組成物の重合により形成される重合されたシリコーンハイドロゲルコンタクトレンズを含むシリコーンハイドロゲルコンタクトレンズであって、前記先駆組成物がアリルオキシエタノールジメチルシロキサンエチレンオキシドブロックコポリマーを含むことを特徴とする、前記コンタクトレンズ。
【請求項２１】
前記コンタクトレンズが、少なくとも約40％の平衡含水量、及び約90〜120バレルの酸素透過性（Dkx10-11）を有し、任意で更に、約70〜約75度のレンズ表面の前進接触角、約0.7MPa未満の引張りモジュラス、及び約1.5〜5のイオノフラックス（x10-3mm2/min）から選択される１以上の特徴を含む、請求項２０に記載のシリコーンハイドロゲルコンタクトレンズ。
【請求項２２】
前記コンタクトレンズが表面処理されておらず、湿潤剤の入れ子型ネットワークを有しておらず、無極性樹脂コンタクトレンズ成形において成形され、及びこれらを組み合わせる、請求項２０に記載のシリコーンハイドロゲルコンタクトレンズ。